(57)【要約】【課題】  ユーザが暗証番号を忘れた場合においても、暗証番号を第３者に知られることなく、安全に忘れた暗証番号を表示する機能を提供する。【解決手段】  携帯端末装置の暗証番号の表示方法を、当該携帯端末の暗証番号を表示するためのキー操作情報を登録する第１のステップと、前記暗証番号を表示する鍵となる当該携帯端末以外の通信端末の識別情報を登録する第２のステップと、前記第２のステップで登録した識別情報を含む通話受け、前記第１のステップで登録したキー操作がおこなわれたときに、登録されている当該携帯情報端末の暗証番号を表示する第３のステップとを含む構成とした。【選択図】図１
2006033540.tif 000002
【特許請求の範囲】
【請求項１】
携帯端末装置に登録された暗証番号の表示方法であって、
当該携帯端末の暗証番号を表示するためのキー操作情報を登録する第１のステップと、
前記暗証番号を表示する鍵となる当該携帯端末以外の通信端末の識別情報を登録する第２のステップと、
前記第２のステップで登録した識別情報を含む通話受け、前記第１のステップで登録したキー操作がおこなわれたときに、登録されている当該携帯情報端末の暗証番号を表示する第３のステップと
を含むことを特徴とする携帯端末の暗証番号の表示方法。
【発明の詳細な説明】
【技術分野】
【０００１】
本発明は、移動体通信装置における暗証番号の表示方法に関し、特にユーザが暗証番号を忘れた場合に好適な暗証番号の表示方法である。
【背景技術】
【０００２】
従来、携帯端末装置には暗証番号を設定する機能がついており、機器が有する重要な機能を動作させる場合に、あらかじめ記憶させておいた暗証番号と入力した暗証番号を照合し、一致した場合のみ動作を利用可能にする機能がある。これにより、使用者以外の第三者の不正使用を防止し、紛失や盗難時の個人情報を漏洩を防止することが一般におこなわれている。
【０００３】
このような技術の一例が特許文献１に開示され、これには、暗証番号に対応した暗証操作手順を登録することで、暗証番号の表示を可能とする暗証番号の記憶方法及び記憶システムに関する技術が提供されている。
【０００４】
【特許文献１】特開２００２−１５２３６８号公報
【発明の開示】
【発明が解決しようとする課題】
【０００５】
しかしながら、従来の技術においては、ユーザが暗証番号及び暗証操作手順を忘れてしまった場合、その重要な機能を動作させることができなくなってしまうという問題点があった。この場合、ユーザは、携帯端末装置を購入した販売店等に持ち込み、暗証番号のリセットを行ってもらう必要があり、煩わしい手間と多大な時間を費やしてしまうという問題点があった。
【課題を解決するための手段】
【０００６】
本発明は、前記問題点を解決するために、携帯端末装置の暗証番号の表示方法を、当該携帯端末の暗証番号を表示するためのキー操作情報を登録する第１のステップと、前記暗証番号を表示する鍵となる当該携帯端末以外の通信端末の識別情報を登録する第２のステップと、前記第２のステップで登録した識別情報を含む通話受け、前記第１のステップで登録したキー操作がおこなわれたときに、登録されている当該携帯情報端末の暗証番号を表示する第３のステップとを含む構成とした。
【発明の効果】
【０００７】
ユーザが暗証番号を忘れた場合においても、暗証番号を第３者に知られることなく、安全に忘れた暗証番号を知ることができる。
【発明を実施するための最良の形態】
【０００８】
以下、本発明の実施の形態について図面を参照して説明する。
【０００９】
図１は、本実施の形態に係る携帯端末を使用するシステム構成を説明する図である。個人、家族、又は企業で複数台の携帯端末装置、固定電話を所有している場合もあるが、本実施例では、１組の携帯端末装置１０１、１０２、固定電話１０３を所有しているものとする。これらの携帯端末装置や固定電話では、一般に、発呼側の発信番号が通話信号に含まれ、着呼側の端末で、発信者の携帯端末や固定電話の発信番号を識別することが可能になっている。
【００１０】
携帯端末装置では、端末に内蔵する電話帳等のユーザ設定情報や、当該携帯端末装置の契約内容を秘匿しておきたい場合に、電話帳の編集や契約内容を変更する際に、暗証番号を入力する処理を含んでいる。また、本発明の携帯端末では、使用者が登録された暗証番号を忘れた際に、つぎの処理により、登録されている暗証番号を表示する機能をもつ。
【００１１】
例えば、ユーザの携帯端末装置１０１の暗証番号を忘れた場合、予め登録しておいた携帯端末装置１０２、または固定電話装置１０３から基地局１０４,１０５、ネットワーク１０６を介して、ユーザの携帯端末装置１０１に電話をかけ、その着信中に、ユーザの携帯端末装置１０１において、ある特定のキー入力（例えば「*」等）を行うことで、ユーザの携帯端末装置１０１の暗証番号が、ユーザの携帯端末装置１０１のモニタに表示される。
【００１２】
ここで、該携帯端末101に暗証番号を登録する際に、同時の携帯端末装置１０２または固定電話装置１０３の発信番号を登録するようにする。なお、発信番号に限定されるものではなく、発信端末が識別可能な情報であれば、他の識別情報でもよい。また、あらかじめユーザの携帯端末装置１０１に登録しておく、携帯端末装置１０２、及び固定電話装置１０３の電話番号は一つとは限らない。
【００１３】
また、上記では、「＊」等の特定キーの入力と、予め登録された携帯端末装置や固定電話装置の着信により、当該携帯端末装置の暗証番号を表示するようにしたが、特定キーの入力は必須ではなく、暗証番号の表示機能を起動した後、登録された携帯端末装置１０２または固定電話装置１０３からの着信で、暗証番号を表示するようにしてもよい。
【００１４】
図２は、図１のユーザの携帯端末装置１０１において、ユーザの携帯端末装置１０１のモニタにユーザの携帯端末装置１０１の暗証番号を表示させるための処理動作の一例を示すフローチャートである。本図に示すように、ステップＡ１において、図１のユーザの携帯端末装置１０１にあらかじめ登録しておいた、携帯端末装置１０２、または、固定電話装置１０３からの着信時に、ステップＡ２において、ユーザがユーザの携帯端末装置１０１にある特定のキー入力（例えば「*」等）を行った場合、あらかじめユーザの携帯端末装置１０１の登録しておいた電話番号と照合を行い、一致した場合には、ユーザの携帯端末装置１０１のモニタに暗証番号を表示させる。
【００１５】
なお、図２に示す処理動作は、ステップＡ２とステップＡ３の順序はあくまで一例であり、順序は入れ替えることができる。
【００１６】
また、ステップＡ２のある特定のキー入力は、あくまで一例であり、キー入力の代替として、音声、画像、振動等の信号と置き換えることができる。さらに、これらの信号は、複数組み合わせることもできる。  
また、通信端末の発信番号以外にも、端末のネットワークアドレス等、機器を一意に特定できる情報であればよい。
【００１７】
このように、暗証番号を表示する鍵を、当該携帯端末の所有者が使用している固定端末装置や他の携帯端末とすることにより、鍵の安全性を高めると共に、暗証番号を表示するための鍵の入力を容易におこなうことができる。
【図面の簡単な説明】
【００１８】
【図１】本発明の携帯端末を使用するシステム構成の一例を説明する図である。
【図２】本発明の暗証番号表示を説明するフローチャートである。
【符号の説明】
【００１９】
１０１、１０２…携帯端末装置、１０３…固定電話装置、
１０４,１０５…基地局、１０６…ネットワーク
【図１】
2006033540.tif 000003
【図２】
2006033540.tif 000004